(57)【要約】【課題】装置の大型化を抑えた上で、収納部の受入口に対して延長域外となる位置の搬入口から受け入れた紙葉を円滑に搬送して収納部に収納すること。【解決手段】装置筐体１０の内部に収納部２０を備えるとともに、収納部２０の受入口２２に対して延長域外となる位置に開口する搬入口１２Ａを有し、搬入口１２Ａと受入口２２との間を導入通路３０Ａによって接続することにより、搬入口１２Ａを介して装置筐体１０の内部に受け入れた紙葉を収納部２０に収納するようにした紙葉収納装置であって、導入通路３０Ａは、搬入口１２Ａから受け入れた紙葉の搬送方向を変更する第１の湾曲部３０Ａ１と、紙葉の先端部が受入口２２の延長域に位置するように搬送方向を変更する第２の湾曲部３０Ａ２とを有し、かつこれら第１の湾曲部３０Ａ１及び第２の湾曲部３０Ａ２が９０°を超えて紙葉の搬送方向を変更するように構成した。【選択図】図１
2015088024.tif 000002
【特許請求の範囲】
【請求項１】
装置筐体の内部に収納部を備えるとともに、前記装置筐体の一側面において前記収納部の受入口に対してその延長域外となる位置に外部に開口する搬入口を有し、前記搬入口と前記収納部の受入口との間を導入通路によって接続することにより、前記搬入口を介して前記装置筐体の内部に受け入れた紙葉を前記収納部に収納するようにした紙葉収納装置であって、
前記導入通路は、前記搬入口から受け入れた紙葉の搬送方向を変更する第１の湾曲部と、紙葉の先端部が前記受入口の延長域に位置するように搬送方向を変更する第２の湾曲部とを有し、かつこれら第１の湾曲部及び第２の湾曲部の少なくとも一方が９０°を超えて紙葉の搬送方向を変更するように構成したことを特徴とする紙葉収納装置。
【請求項２】
前記装置筐体の一側面において前記受入口の延長域となる部位と前記導入通路との間となる位置に外部に開口する中間搬入口を有するとともに、前記中間搬入口を前記導入通路に接続するための中間導入通路を有しており、
前記中間導入通路は、前記導入通路の下流側に向けて漸次湾曲するように延在し、当該湾曲部分において前記導入通路と合流することを特徴とする請求項１に記載の紙葉収納装置。
【請求項３】
前記導入通路は、前記搬入口から前記中間導入通路の接続部までの間に位置する部分が前記第１の湾曲部とは逆向きに凸となるように湾曲することを特徴とする請求項２に記載の紙葉収納装置。
【請求項４】
前記収納部の受入口に対してその延長域となる位置に前記装置筐体の外部に開口する正面搬入口を有するとともに、前記正面搬入口を前記導入通路に接続するための正面導入通路を有しており、
前記正面導入通路は、前記正面搬入口から前記受入口に向けて直線状に構成したものであり、前記導入通路の第２の湾曲部に対してその接線方向から合流することを特徴とする請求項１に記載の紙葉収納装置。
【発明の詳細な説明】
【技術分野】
【０００１】
本発明は、搬送された紙幣等の紙葉を収納する紙葉収納装置に関するものである。
【背景技術】
【０００２】
複数の遊技機を並設した遊技機列を備える遊技島では、遊技機の間に設けられた遊技媒体貸出機から投入される紙幣の回収作業を容易化するため、遊技機の背面側に搬送装置を設けるようにしている。搬送装置は、遊技媒体貸出機の背面を通過するように構成された搬送路を備えたもので、搬送路の下流端部が遊技島の端部に設置された紙幣収納装置に接続されている（例えば、特許文献１参照）。
【０００３】
搬送路は、例えば搬送チェーンの駆動によって紙幣を下流に搬送させるものである。遊技島に設けられる搬送装置では、紙幣を横長起立姿勢で搬送するように構成されているのが一般的である。
【０００４】
紙幣収納装置は、装置筐体の内部に収納部を備えるとともに、装置筐体の外部に開口する搬入口を有し、搬入口と収納部の受入口との間が導入通路によって接続されたものである。この紙幣収納装置では、搬入口から受け入れた紙幣が導入通路を介して収納部の受入口に案内され、収納部の内部に順次収納されることになる。
【０００５】
こうした搬送装置を備える遊技島によれば、複数の遊技媒体貸出機から投入された紙幣が紙幣収納装置に一括して収納されることになるため、その回収作業を容易に行うことができるようになる。
【先行技術文献】
【特許文献】
【０００６】
【特許文献１】特開２０１１−１０７９８０号公報
【発明の概要】
【発明が解決しようとする課題】
【０００７】
ところで、搬送装置によって搬送された紙幣を収納する紙幣収納装置においては、汎用性を考慮すると、装置筐体に複数の搬入口が設けられていることが好ましい。例えば、搬入口が左右方向に沿って複数設けてあれば、紙幣収納装置に対する搬送路の設置位置が異なっている場合にも、接続する搬入口を適宜選択することで対応することが可能となる。
【０００８】
ここで、装置筐体に複数の搬入口を設けた場合には、少なくとも一つの搬入口が収納部の受入口に対してその延長域外となる位置に設けられることになる。装置筐体の搬入口が収納部の受入口に対してその延長域に設けられている場合には、図６の（ａ）に示すように、装置筐体１０１の搬入口１０１ａと収納部１０２の受入口１０２ａとの間を直線状の導入通路１０３で接続すれば、搬入口１０１ａに受け入れた紙幣をそのままの姿勢で受入口１０２ａから収納部１０２に収納させることができる。
【０００９】
これに対して装置筐体１０１の搬入口１０１ａが収納部１０２の受入口１０２ａに対して延長域外となる位置に設けられている場合には、導入通路１０３を直線状に設けた場合、紙幣を受入口１０２ａまで円滑に搬送することが困難となり、途中で詰まり等の問題を来す恐れがある。このため、装置筐体１０１の搬入口１０１ａが収納部１０２の受入口１０２ａに対して延長域外となる位置に設けられている場合には、図６の（ｂ）に示すように、装置筐体１０１の内部において搬入口１０１ａから収納部１０２の受入口１０２ａまでの間に、少なくとも紙幣の搬送方向を変更するための湾曲部１０３ａを２つ有した導入通路１０３′を設ける必要があり、２つの湾曲部１０３ａの分だけ紙幣の搬送方向に沿って装置筐体１０１の大型化を招来する恐れがある。
【００１０】
尚、上述の問題は、必ずしも遊技島において搬送された紙幣を収納するための紙幣収納装置に限られたものではなく、外部に開口する装置筐体の搬入口が収納部の受入口に対してその延長域外となる位置に設けられたものであれば、その他の紙葉を収納するものにも同様に生じ得る。
【００１１】
本発明は、上記実情に鑑みて、装置の大型化を抑えた上で、収納部の受入口に対して延長域外となる位置の搬入口から受け入れた紙葉を円滑に搬送して収納部に収納することのできる紙葉収納装置を提供することを目的とする。
【課題を解決するための手段】
【００１２】
上記目的を達成するため、本発明に係る紙葉収納装置は、装置筐体の内部に収納部を備えるとともに、前記装置筐体の一側面において前記収納部の受入口に対してその延長域外となる位置に外部に開口する搬入口を有し、前記搬入口と前記収納部の受入口との間を導入通路によって接続することにより、前記搬入口を介して前記装置筐体の内部に受け入れた紙葉を前記収納部に収納するようにした紙葉収納装置であって、前記導入通路は、前記搬入口から受け入れた紙葉の搬送方向を変更する第１の湾曲部と、紙葉の先端部が前記受入口の延長域に位置するように搬送方向を変更する第２の湾曲部とを有し、かつこれら第１の湾曲部及び第２の湾曲部の少なくとも一方が９０°を超えて紙葉の搬送方向を変更するように構成したことを特徴とする。
【００１３】
また、本発明は、上述した紙葉収納装置において、前記装置筐体の一側面において前記受入口の延長域となる部位と前記導入通路との間となる位置に外部に開口する中間搬入口を有するとともに、前記中間搬入口を前記導入通路に接続するための中間導入通路を有しており、前記中間導入通路は、前記導入通路の下流側に向けて漸次湾曲するように延在し、当該湾曲部分において前記導入通路と合流することを特徴とする。
【００１４】
また、本発明は、上述した紙葉収納装置において、前記導入通路は、前記搬入口から前記中間導入通路の接続部までの間に位置する部分が前記第１の湾曲部とは逆向きに凸となるように湾曲することを特徴とする。
【００１５】
また、本発明は、上述した紙葉収納装置において、前記収納部の受入口に対してその延長域となる位置に前記装置筐体の外部に開口する正面搬入口を有するとともに、前記正面搬入口を前記導入通路に接続するための正面導入通路を有しており、前記正面導入通路は、前記正面搬入口から前記受入口に向けて直線状に構成したものであり、前記導入通路の第２の湾曲部に対してその接線方向から合流することを特徴とする。
【発明の効果】
【００１６】
本発明によれば、導入通路に９０°を超えて紙葉の搬送方向を変更する湾曲部を設けるようにしているため、紙葉の搬送方向に沿って２つの湾曲部をオーバーラップさせるように導入通路を構成することが可能となる。従って、装置の大型化を抑えた上で、収納部の受入口に対して延長域外となる位置の搬入口から受け入れた紙葉を円滑に搬送して収納部に収納することができるようになる。
【図面の簡単な説明】
【００１７】
【図１】図１は、本発明の実施の形態である紙葉収納装置の内部構造を示した断面平面図である。
【図２】図２は、図１に示した紙葉収納装置の要部拡大断面平面図である。
【図３】図３は、図１に示した紙葉収納装置の要部を示す斜視図である。
【図４】図４は、図３に示した紙葉収納装置の要部において導入通路を開放した状態の斜視図である。
【図５】図５は、図１に示した紙葉収納装置を適用した遊技店の遊技島を示す概念図である。
【図６】図６は、一般的な紙葉収納装置の内部構造を示したもので、（ａ）は装置筐体の搬入口が収納部の受入口に対して延長域となる位置に設けられた紙葉収納装置の断面平面図、（ｂ）は、装置筐体の搬入口が収納部の受入口に対して延長域外となる位置に設けられた紙葉収納装置の断面平面図である。
【発明を実施するための形態】
【００１８】
以下、添付図面を参照しながら本発明に係る紙葉収納装置の好適な実施の形態について詳細に説明する。
【００１９】
図１は、本発明の実施の形態である紙葉収納装置を示したものである。ここで例示する紙葉収納装置は、図５に示すように、遊技島Ｐにおいて複数の遊技媒体貸出機ｃから投入された紙幣を一括して収納するための紙幣収納装置１として用いられるものである。
【００２０】
遊技島Ｐは、パチンコ機等の遊技機ｄを複数並設することによって構成した遊技機列を備えたものである。図からも明らかなように、遊技店の中央部分においては、遊技機列を背中合わせで設置することにより遊技島Ｐが構成してある。遊技店の両壁際部分においては、それぞれ店舗壁面に遊技機ｄの背面を対向させて遊技機列を設置することにより遊技島Ｐが構成してある。尚、図中においては、鉛直方向をＺ軸、遊技機ｄを並設した前後方向をＸ軸、遊技機列を並設した左右方向をＹ軸として、それぞれに座標軸が矢印で示してある。
【００２１】
それぞれの遊技機列に並設された遊技機ｄの相互間には、遊技媒体貸出機ｃが設けられている。遊技媒体貸出機ｃは、図には明示していないが、前面から機内に投入された紙幣の鑑別を行い、正規の紙幣と鑑別した場合にその金額に応じて遊技媒体を対応する遊技機ｄに払い出すものである。正規のものであると鑑別された紙幣は、背面から機外に排出された後、搬送装置Ｈによって遊技島Ｐの端部に搬送されることになる。本実施の形態で適用する遊技媒体貸出機ｃでは、横長起立姿勢で受け入れた紙幣をそのままの姿勢で背面から排出するように構成してある。
【００２２】
搬送装置Ｈは、遊技媒体貸出機ｃの背面から排出された紙幣を搬送路ｒに受け入れ、横長起立姿勢を維持した状態で順次下流に搬送するものである。搬送装置Ｈの搬送路ｒは、対応する遊技機列においてすべての遊技媒体貸出機ｃの背面を通過するように構成してある。図５からも明らかなように、遊技店の中央部分に設けられた遊技島Ｐにおいては、左右方向（Ｙ軸方向）の中間となる位置に搬送路ｒが配設してあり、壁際部分に設けられた遊技島Ｐにおいては、それぞれ店舗壁面に近接した位置に搬送路ｒが配設してある。各搬送路ｒの下流端部には、それぞれ遊技島Ｐの端部に設置された紙幣収納装置１が接続してある。尚、本実施の形態の遊技店においては、すべての紙幣収納装置１が、図５において遊技島Ｐの上方に位置する端部に設置してある。
【００２３】
紙幣収納装置１は、図１に示すように、装置筐体１０の内部に収納部２０を備えて構成したものである。収納部２０は、装置筐体１０の前外壁板１１との間にスペースを確保した状態で装置筐体１０の内部に収容した箱状体である。前外壁板１１に対して平行となるように対向する収納部２０の前壁板２１には、受入口２２が設けてある。受入口２２は、投入された紙幣を順次積層した状態で内部に収納するための開口である。本実施の形態の収納部２０では、前壁板２１に向かって左側の側壁板２３に近接した部分に、側壁板２３の内壁面に沿うように縦長の受入口２２が形成してある。
【００２４】
一方、装置筐体１０の前外壁板１１には、搬送路ｒの端部が選択的に接続される３つの搬入口１２Ａ，１２Ｂ，１２Ｃが設けてある。搬入口１２Ａ，１２Ｂ，１２Ｃは、それぞれ前外壁板１１に対して直交するように設けた縦長の開口であり、左右方向（Ｙ軸方向）に沿って等間隔となる位置に形成してある。本実施の形態では、収納部２０の受入口２２に近接する搬入口１２Ｃのみが収納部２０の受入口２２に対してその延長域となる位置に配設してあり、収納部２０の受入口２２から最も離隔した位置の搬入口１２Ａ及び中間となる位置に設けた搬入口１２Ｂが、それぞれ収納部２０の受入口２２に対して延長域外となる位置に配設してある。以下においては便宜上、これらの搬入口１２Ａ，１２Ｂ，１２Ｃを区別する場合、収納部２０の受入口２２に対して延長域となる位置に設けたものを「正面搬入口１２Ｃ」と称し、中間に配設されたものを「中間搬入口１２Ｂ」と称し、受入口２２からもっとも離隔した位置に配設されたものを「離隔搬入口（搬入口）１２Ａ」と称することとする。
【００２５】
それぞれの搬入口１２Ａ，１２Ｂ，１２Ｃと収納部２０の受入口２２との間には、導入通路３０Ａ，３０Ｂ，３０Ｃが設けてある。導入通路３０Ａ，３０Ｂ，３０Ｃは、搬送装置Ｈによって横長起立姿勢で搬送された紙幣が搬入口１２Ａ，１２Ｂ，１２Ｃを介して装置筐体１０の内部に受け入れられた場合に、横長起立姿勢のまま収納部２０の受入口２２に搬送するもので、装置筐体１０の前外壁板１１と収納部２０の前壁板２１との間に構成してある。
【００２６】
正面搬入口１２Ｃと受入口２２との間の導入通路（以下、区別する場合に「正面導入通路３０Ｃ」という）は、正面搬入口１２Ｃ及び受入口２２の間を直線状に接続するように構成してある。これに対して離隔搬入口１２Ａと受入口２２との間の導入通路（以下、区別する場合に「離隔導入通路（導入通路）３０Ａ」という）及び中間搬入口１２Ｂと受入口２２との間の導入通路（以下、区別する場合に「中間導入通路３０Ｂ」という）は、それぞれの搬入口１２Ａ，１２Ｂから受け入れた紙幣の搬送方向を変更するための湾曲部を複数有して蛇行状に構成してある。
【００２７】
離隔導入通路３０Ａは、もっとも経路の長い通路であり、途中に４つの湾曲部３０Ａ１，３０Ａ２，３０Ａ３，３０Ａ４を有している。これらの湾曲部３０Ａ１，３０Ａ２，３０Ａ３，３０Ａ４は、それぞれ装置筐体１０に対して鉛直方向（Ｚ軸方向）に沿った軸を中心として円弧状に延在する部分である。離隔搬入口１２Ａに対してもっとも近接した第１の湾曲部３０Ａ１は、装置筐体１０の前外壁板１１に対して直交するように開口した離隔搬入口１２Ａから収納部２０の前壁板２１に向かうに従って漸次受入口２２に近接するように湾曲した部分である。離隔搬入口１２Ａからもっとも離隔した第２の湾曲部３０Ａ２は、受入口２２から前外壁板１１に向かうに従って漸次離隔搬入口１２Ａに近接するように湾曲した部分であり、受入口２２に近接する部分が正面導入通路３０Ｃと合流してある。第２の湾曲部３０Ａ２と正面導入通路３０Ｃとの合流部分は、正面導入通路３０Ｃが第２の湾曲部３０Ａ２に対して接線方向に延在するように構成してある。
【００２８】
図１及び図２からも明らかなように、これら第１の湾曲部３０Ａ１及び第２の湾曲部３０Ａ２は、いずれも９０°を超えて紙幣の搬送方向を変更するように構成したものである。これにより、第１の湾曲部３０Ａ１に連続する離隔導入通路３０Ａの第１連結通路部３０Ａ５は、受入口２２に向かうに従って漸次収納部２０の前壁板２１から離隔するように前壁板２１に対して傾斜延在し、また第２の湾曲部３０Ａ２に連続する離隔導入通路３０Ａの第２連結通路部３０Ａ６は、受入口２２に向かうに従って漸次前壁板２１に近接するように前壁板２１に対して傾斜延在している。
【００２９】
離隔導入通路３０Ａの残りの２つの湾曲部３０Ａ３，３０Ａ４は、第１の湾曲部３０Ａ１に連続する第１連結通路部３０Ａ５と第２の湾曲部３０Ａ２に連続する第２連結通路部３０Ａ６との間を滑らかに連続させるように第１連結通路部３０Ａ５及び第２連結通路部３０Ａ６の間に設けてある。具体的には、第１の湾曲部３０Ａ１とは逆向きの凸となるように湾曲した第３の湾曲部３０Ａ３が第１連結通路部３０Ａ５の端部に設けてあるとともに、第１の湾曲部３０Ａ１と同じ向きに凸となるように湾曲した第４の湾曲部３０Ａ４が第２連結通路部３０Ａ６の端部に設けてあり、第３の湾曲部３０Ａ３と第４の湾曲部３０Ａ４とが共通の接線を有するように互いに接続してある。
【００３０】
中間導入通路３０Ｂは、装置筐体１０の前外壁板１１に対して直交するように開口した中間搬入口１２Ｂから収納部２０の前壁板２１に向かうに従って漸次受入口２２に近接するように湾曲したもので、離隔導入通路３０Ａに形成した第４の湾曲部３０Ａ４において離隔導入通路３０Ａと合流するように構成してある。
【００３１】
尚、装置筐体１０の外前壁板２１と収納部２０の前壁板２１との間に構成した導入通路３０Ａ，３０Ｂ，３０Ｃは、図３に示す状態から前壁板２１に近接する通路壁部を取り外すことにより、図４に示すように、内部を開放することができ、この状態でメインテナンスを行うことが可能である。
【００３２】
上記した導入通路３０Ａ，３０Ｂ，３０Ｃには、複数箇所に駆動ローラ３１や駆動パドル３２が配設してある。駆動ローラ３１及び駆動パドル３２は、それぞれ装置筐体１０に対して鉛直方向（Ｚ軸方向）に沿った駆動軸３１ａ，３２ａを中心として回転可能となるものである。図３及び図４に示すように、駆動ローラ３１及び駆動パドル３２の駆動軸３１ａ，３２ａは、駆動モータ３３の駆動軸３３ａとの間がギヤ列を構成する複数のギヤ３４やタイミングベルト３５を介して接続してあり、駆動モータ３３が駆動した場合に回転することが可能である。
【００３３】
駆動ローラ３１は、個々の周面が導入通路３０Ａ，３０Ｂ，３０Ｃの内部に臨む状態で装置筐体１０に配設してある。駆動ローラ３１の周面には、それぞれアイドルローラ３６の周面が当接した状態にある。駆動ローラ３１が回転した状態でその周面とアイドルローラ３６との間に紙幣が挿入されると、これら駆動ローラ３１及びアイドルローラ３６の協働によって当該紙幣が下流に向けて搬送される。
【００３４】
駆動パドル３２は、複数の放射状に伸びた弾性体から成るパドル片３２ｂを備えたもので、パドル片３２ｂの先端部が導入通路３０Ａ，３０Ｂ，３０Ｃの内壁面に摺接する状態で装置筐体１０に配設してある。駆動パドル３２が回転した状態でパドル片３２ｂと導入通路３０Ａ，３０Ｂ，３０Ｃの内壁面との間に紙幣が挿入されると、パドル片３２ｂによって当該紙幣が下流に向けて搬送される。
【００３５】
本実施の形態では、第１の湾曲部３０Ａ１において前外壁板１１との間となる位置と、第４の湾曲部３０Ａ４において前外壁板１１側との間となる位置にそれぞれ駆動ローラ３１の駆動軸３１ａが設けてあるとともに、第２の湾曲部３０Ａ２と前壁板２１との間に駆動パドル３２の駆動軸３２ａが設けてある。駆動モータ３３は、正面導入通路３０Ｃを挟んで駆動パドル３２の反対側となる部位に配設してある。
【００３６】
上記のように構成した紙幣収納装置１は、図５に示すように、搬入口１２Ａ，１２Ｂ，１２Ｃに搬送装置Ｈの端部が接続された状態で遊技島Ｐの端部に設置される。
【００３７】
ここで、遊技店の中央部分に設けられた遊技島Ｐでは、遊技島Ｐの端部において左右方向（Ｙ軸方向）の中央部に装置筐体１０を取り付ければ、中間搬入口１２Ｂを介して搬送装置Ｈの搬送路ｒに接続することが可能となる。
【００３８】
これに対して壁際部分に設けられた遊技島Ｐにおいては、搬送路ｒと店舗壁面との間の隙間を大きく確保することが困難であり、中間搬入口１２Ｂを介して搬送路ｒに接続させた場合、装置筐体１０が店舗壁面と干渉する恐れがある。
【００３９】
そこで、図５において左側の店舗壁面に設けた遊技島Ｐでは、装置筐体１０の外前壁板２１に向かって左側に設けた正面搬入口１２Ｃを選択すれば、装置筐体１０が右寄りにずれた状態で遊技島Ｐに配設されることになり、紙幣収納装置１を搬送装置Ｈの搬送路ｒに接続することが可能となる。同様に、図５において右側の店舗壁面に設けた遊技島Ｐでは、装置筐体１０の外前壁板２１に向かって右側に設けた離隔搬入口１２Ａを選択すれば、装置筐体１０が左寄りにずれた状態で遊技島Ｐに配設されることになり、紙幣収納装置１を搬送装置Ｈの搬送路ｒに接続することが可能となる。
【００４０】
装置筐体１０の正面搬入口１２Ｃは、収納部２０の受入口２２に対して延長域となる位置に設けたものであり、受入口２２との間が直線状の正面導入通路３０Ｃによって接続されたものである。従って、搬送装置Ｈの搬送路ｒを搬送され、正面搬入口１２Ｃから装置筐体１０の内部に受け入れられた紙幣は、正面導入通路３０Ｃを通じてそのまま受入口２２に搬送され、途中で詰まることなく収納部２０の内部に収納されることになる。
【００４１】
一方、装置筐体１０の離隔搬入口１２Ａ及び中間搬入口１２Ｂは、いずれも収納部２０の受入口２２に対して延長域外となる位置に設けたものである。しかしながら、離隔搬入口１２Ａに接続する離隔導入通路３０Ａは、途中に４つの湾曲部３０Ａ１，３０Ａ２，３０Ａ３，３０Ａ４を有して受入口２２との間を滑らかに接続するものであり、中間搬入口１２Ｂに接続する中間導入通路３０Ｂは、湾曲しながら離隔導入通路３０Ａの途中に滑らかに合流するものである。従って、搬送装置Ｈの搬送路ｒを搬送され、離隔搬入口１２Ａ及び中間搬入口１２Ｂから装置筐体１０の内部に受け入れられた紙幣についても、途中で詰まることなく受入口２２に搬送され、収納部２０の内部に収納されることになる。
【００４２】
しかも、上述したように離隔搬入口１２Ａと受入口２２との間を接続する離隔導入通路３０Ａは、離隔搬入口１２Ａに対してもっとも近接した第１の湾曲部３０Ａ１と、離隔搬入口１２Ａからもっとも離隔した第２の湾曲部３０Ａ２とが、いずれも９０°を超えて紙幣の搬送方向を変更するように構成したものである。また、中間導入通路３０Ｂは、離隔導入通路３０Ａに形成した第４の湾曲部３０Ａ４に対して湾曲しながら合流するように構成してある。従って、第１の湾曲部３０Ａ１と第２の湾曲部３０Ａ２とが左右方向（Ｙ軸方向）においてオーバーラップするように離隔導入通路３０Ａを構成することが可能であるとともに、外前壁板２１と前壁板２１との間に中間導入通路３０Ｂを構成することができ、図６の（ｂ）に示した従来のものに比べて、装置筐体１０の外前壁板２１と収納部２０の前壁板２１との間のスペースを大きく確保する必要がなくなり、紙幣収納装置１の大型化を抑えることが可能となる。
【００４３】
尚、上述した実施の形態では、遊技島において複数の遊技媒体貸出機から投入された紙幣を一括して収納するための紙幣収納装置として用いられるものを例示しているが、紙幣以外の紙葉を搬送するものにも適用することが可能である。
【００４４】
また、上述した実施の形態では、搬入口を３つ備えたものを例示しているが、必ずしも搬入口を複数備える必要はなく、収納部の受入口に対してその延長域外となる位置に唯一の搬入口を有していれば良い。
【００４５】
さらに、上述した実施の形態では、導入通路の２つの湾曲部がいずれも９０°を超えて紙葉の搬送方向を変更するように構成しているが、いずれか一方の湾曲部が９０°を超えて紙葉の搬送方向を変更すれば十分である。また、導入通路は、必ずしも４つの湾曲部を有している必要はなく、２つの湾曲部を有していれば良い。
【符号の説明】
【００４６】
１      紙幣収納装置
１０      装置筐体
１１      前外壁板
１２Ａ      離隔搬入口
１２Ｂ      中間離隔搬入口
１２Ｃ      正面離隔搬入口
２０      収納部
２２      受入口
３０Ａ      離隔導入通路
３０Ａ１      第１の湾曲部
３０Ａ２      第２の湾曲部
３０Ｂ      中間離隔導入通路
３０Ｃ      正面離隔導入通路
【図１】
2015088024.tif 000003
【図２】
2015088024.tif 000004
【図３】
2015088024.tif 000005
【図４】
2015088024.tif 000006
【図５】
2015088024.tif 000007
【図６】
2015088024.tif 000008